(57)【特許請求の範囲】
【請求項１】
第１ノズル及び第２ノズルを有し、
前記第１ノズルと前記第２ノズルとを移動させるモータと、を備える洗浄便座装置であって、
前記第１ノズルと前記第２ノズルとは、上下に重なる位置に配置され、
前記第１ノズルは、前記第１ノズルの移動方向に延在し、前記第１ノズルにおいて通常の使用での使用者の視界から隠れる位置で、前記モータからの駆動力が伝達されて前記第１ノズルを移動させる第１ラックが設けられ、
前記第２ノズルは、前記第２ノズルの移動方向に延在し、前記第２ノズルにおいて通常の使用での使用者の視界から隠れる位置で、前記モータからの駆動力が伝達されて前記第２ノズルを移動させる第２ラックが設けられ、
前記モータから前記第１ラックと前記第２ラックに駆動力を伝達する伝達部材を有し、
前記伝達部材は、前記第１ノズルの底面と前記第２ノズルの上面との間の空間に配設されない、
洗浄便座装置。
【請求項２】
第１ノズル及び第２ノズルを有し、
前記第１ノズルと前記第２ノズルとを駆動するモータと、を備える洗浄便座装置であって、
前記第１ノズルと前記第２ノズルとは、上下方向に重なる位置に配置され、
前記第１ノズルには、前記第１ノズルの長手方向に延在し、前記モータからの駆動力が伝達されて前記第１ノズルを長手方向に移動させる第１ラックが設けられ、
前記第２ノズルには、前記第２ノズルの長手方向に延在し、前記モータからの駆動力が伝達されて前記第２ノズルを長手方向に移動させる第２ラックが設けられ、
前記第１ラックの山部が、前記第１ノズルと前記第２ノズルとの重なり方向と前記長手方向とに垂直な方向に突出するように、且つ、前記重なり方向と前記長手方向とに垂直な方向での前記第１ノズルの最外部よりも外側には突出しないように設けられ、
前記第２ラックの山部が、前記第１ノズルと前記第２ノズルとの重なり方向と前記長手方向とに垂直な方向に突出するように、且つ、前記重なり方向と前記長手方向とに垂直な方向での前記第２ノズルの最外部よりも外側には突出しないように設けられる
洗浄便座装置。
【請求項３】
前記第１ノズルと前記第２ノズルを前記上下方向の上側から見て、前記第１ラック及び前記第２ラックは視認できない
請求項２に記載の洗浄便座装置。
【請求項４】
前記第１ノズルは、前記重なり方向と前記長手方向とに垂直な方向に窪む第１凹部を有し、
前記第２ノズルは、前記重なり方向と前記長手方向とに垂直な方向に窪む第２凹部を有し、
前記第１ラックは、前記第１凹部に配設され、
前記第２ラックは、前記第２凹部に配設される
請求項３に記載の洗浄便座装置。
【請求項５】
前記第１凹部は、前記重なり方向と前記長手方向とに垂直な方向で開口されるとともに、前記重なり方向で前記上下方向の下側に向けて開口されており、
前記第２凹部は、前記重なり方向と前記長手方向とに垂直な方向で開口されるとともに、前記重なり方向で前記上下方向の下側に向けて開口されている
請求項４に記載の洗浄便座装置。
【請求項６】
前記モータから前記第１ラックと前記第２ラックに駆動力を伝達する伝達部材を有し、
前記伝達部材は、前記第１ノズルの底面と前記第２ノズルの上面との間の空間に配設されない、
請求項２乃至請求項５のいずれか１項に記載の洗浄便座装置。
【請求項７】
前記モータは、前記第１ノズルを駆動する第１モータと、
前記第２ノズルを駆動する第２モータと、を有し、
前記第１モータ及び前記第２モータは、前記第１ノズル及び前記第２ノズルの側方の一方に設けられることを特徴とする、請求項２乃至請求項６のいずれか１項に記載の洗浄便座装置。
【請求項８】
前記モータは、前記第１ノズルを駆動する第１モータと、
前記第２ノズルを駆動する第２モータと、を有し、
前記第１モータは、前記第１ノズル及び前記第２ノズルの側方の一方に設けられ、前記第２モータは、前記第１ノズル及び前記第２ノズルの側方の他方に設けられることを特徴とする、請求項２乃至請求項６のいずれか１項に記載の洗浄便座装置。
【請求項９】
前記第１ノズル及び前記第２ノズルは、断面角形状を呈することを特徴とする請求項２乃至８のいずれか１項に記載の洗浄便座装置。
【発明の詳細な説明】
【技術分野】
【０００１】
本発明は、洗浄便座装置で、特に人体局部を洗浄するノズルの構造に関する。
【背景技術】
【０００２】
従来技術として、側壁にラックを形成した前後方向に移動自在な第１ノズルと、第１ノズルとを所定間隔を存して左右並行に配設し、第１ノズル側の対面する側壁にラックを形成した前後方向に移動自在な第２ノズルと、第１ノズルと第２ノズルとの間に介装し、第１ノズルと第２ノズルのラックに係合しモータと一体となった駆動ギア（モータ等）と、を備えた温水洗浄便座装置がある（例えば、特許文献１参照。）。
【先行技術文献】
【特許文献】
【０００３】
【特許文献１】特開２００１−１１９２３号公報
【発明の概要】
【発明が解決しようとする課題】
【０００４】
しかしながら、特許文献１の温水洗浄便座装置では、ラックは、第１ノズル及び第２ノズルの側壁に設けられており、第１ノズル及び第２ノズルが前方に移動すると、使用者からラックが見えてしまうため、ラックが汚れると使用者に不快感を与える問題がある。また、この温水洗浄便座装置は、第１ノズルと第２ノズルとの間に駆動ギア等が設けられることで第１ノズルと第２ノズルとの間に使用されない未使用空間が生じるため、大型化する問題がある。また、第１ノズルと第２ノズルとが左右に並行に配置されているため、使用者の座る位置に対して温水噴射位置が左右方向にずれてしまうことで、温水を斜めから噴出し被洗浄局部に向けて斜めに当たる状態となる。このため、温水洗浄便座装置は、洗浄水があたる角度によって、被洗浄局部に対して洗浄範囲等にむらを生じるおそれがあり、均一な洗浄効果を得られない問題がある。
【０００５】
本発明は上記問題点を鑑みて成されたものであり、通常の使用では使用者からラックの汚れが見えず、従来に比べノズル周りが小型化でき、均一な洗浄効果が得られる洗浄便座装置を提供することを目的とする。
【課題を解決するための手段】
【０００６】
本発明の第１の課題解決手段は、第１ノズル及び第２ノズルを有し、前記第１ノズルと前記第２ノズルとを移動させるモータと、を備える洗浄便座装置であって、  前記第１ノズルと前記第２ノズルとは、上下に重なる位置に配置され、前記第１ノズルは、前記第１ノズルの移動方向に延在し、前記第１ノズルにおいて通常の使用での使用者の視界から隠れる位置で、前記モータからの駆動力が伝達されて前記第１ノズルを移動させる第１ラックが設けられ、前記第２ノズルは、前記第２ノズルの移動方向に延在し、前記第２ノズルにおいて通常の使用での使用者の視界から隠れる位置で、前記モータからの駆動力が伝達されて前記第２ノズルを移動させる第２ラックが設けられ、前記モータから前記第１ラックと前記第２ラックに駆動力を伝達する伝達部材を有し、前記伝達部材は、前記第１ノズルの底面と前記第２ノズルの上面との間の空間に配設されない構成である。
【０００７】
本発明のその他の課題解決手段は、前記モータは、前記第１ノズルを駆動する第１モータと、前記第２ノズルを駆動する第２モータと、を有し、前記第１モータ及び前記第２モータは、前記第１ノズル及び前記第２ノズルの側方の一方に設けられる構成である。
【０００８】
本発明のその他の課題解決手段は、前記モータは、前記第１ノズルを駆動する第１モータと、前記第２ノズルを駆動する第２モータと、を有し、前記第１モータは、前記第１ノズル及び前記第２ノズルの側方の一方に設けられ、前記第２モータは、前記第１ノズル及び前記第２ノズルの側方の他方に設けられる構成である。
【０００９】
本発明のその他の課題解決手段は、前記第１ノズル及び前記第２ノズルは、断面角形状を呈する構成である。
【発明の効果】
【００１０】
本発明の洗浄便座装置は、第１ラック及び第２ラックが、通常の使用での使用者の視界から隠れる位置に形成されるため、第１ノズル及び第２ノズルが前方に移動しても、通常の使用では使用者からラックの汚れが見えず、不快感を与えることがない。また、洗浄便座装置は、第１ノズルと第２ノズルとが上下に重なる位置に配置されるため、第１ノズルと第２ノズルとの間に駆動ギアが設けられた従来の温水洗浄便座装置に比べ、第１ノズルと第２ノズルとの間の未使用空間の形成を抑制することでノズル周りを小型化することができる。また、洗浄便座装置は、第１ノズルと第２ノズルとが上下に重なる位置に配置されるため、温水が被洗浄局部に対して真下または真下後方から温水噴出でき、均一な洗浄効果を得られる。
【００１１】
また、洗浄便座装置は、第１ノズル及び第２ノズルを上下に重なる位置に配置し、第１モータ及び第２モータを第１ノズル及び第２ノズルの側方の一方に設けられるため、第１ノズルと第２ノズルとの間に使用されない空間が形成されノズル周りが大型化してしまう従来の温水洗浄便座装置に比べ、ノズル周りをより小型化することができる。
【００１２】
また、洗浄便座装置は、第１ノズル及び第２ノズルを上下に重なる位置に配置し、第１モータは、第１ノズル及び第２ノズルの側方の一方に設けられ、第２モータは、第１ノズル及び第２ノズルの側方の他方に設けられ、第１モータと第２モータが第１ノズル及び第２ノズルを挟持するように配置されるため、第１ノズルと第２ノズルとの周りに使用されない空間が形成されノズル周りが大型化してしまう従来の温水洗浄便座装置に比べ、ノズル周りを小型化すると同時に薄型化することができる。
【００１３】
また、洗浄便座装置は、ノズルの断面を角形状とすることで、断面が円形状等のノズルよりも、第１ノズル側面及び第２ノズル側面から隠れる位置に形成するラックを大型化することができ、ラックに作用する面圧を軽減することで、ラックの耐久性を向上させることが可能となる。
【図面の簡単な説明】
【００１４】
【図１】本発明の第１実施形態に係る温水洗浄便座装置の内部の構造を示す斜視図である。
【図２】本発明の第１実施形態に係るお尻洗浄ノズルの（ａ）上面図及び（ｂ）側面図である。
【図３】本発明の第１実施形態に係るビデ洗浄ノズルの（ａ）上面図及び（ｂ）側面図である。
【図４】本発明の第２実施形態に係る温水洗浄便座装置の内部の構造を示す斜視図である。
【図５】本発明の第２実施形態に係るお尻洗浄ノズルの（ａ）上面図及び（ｂ）側面図である。
【図６】本発明の第２実施形態に係るビデ洗浄ノズルの（ａ）上面図及び（ｂ）側面図である。
【図７】本発明の第２実施形態の第１変形例に係る温水洗浄便座装置の内部の構造を示す斜視図である。
【図８】本発明の第２実施形態の第２変形例に係るお尻洗浄ノズル及びビデ洗浄ノズルの拡大斜視図である。
【発明を実施するための形態】
【００１５】
以下に本発明の実施の形態を図面に基づいて詳細に説明する。
【００１６】
（第１実施形態）
図１は、本発明の第１実施形態に係る温水洗浄便座装置１の内部の構造を示す斜視図である。本発明の温水洗浄便座装置１は、長手方向に移動自在な樹脂製のビデ洗浄ノズル２（第１ノズル）と、長手方向に移動自在な樹脂製のお尻洗浄ノズル３（第２ノズル）と、を備え、ビデ洗浄ノズル２と、お尻洗浄ノズル３とは互いが接触しない程度の所定間隔を開けて上下に重なる位置に配置される。また、ビデ洗浄ノズル２を駆動する第１モータ４（モータ）は、温水洗浄便座装置１に向かってビデ洗浄ノズル２及びお尻洗浄ノズル３の図中右側に設けられ、お尻洗浄ノズル３を駆動する第２モータ５（モータ）は、温水洗浄便座装置１に向かってビデ洗浄ノズル２及びお尻洗浄ノズル３の図中左側に設けられる。また、第１モータ４は、第１モータ４からビデ洗浄ノズル２に駆動力を伝達する樹脂製の第１ピニオンギア６を有し、第２モータ５は、第２モータ５からお尻洗浄ノズル３に駆動力を伝達する樹脂製の第２ピニオンギア７を有する。
【００１７】
本発明の温水洗浄便座装置１は、ビデ洗浄ノズル２と、お尻洗浄ノズル３と、第１モータ４と、第２モータ５と、第１ピニオンギア６と、第２ピニオンギア７と、を内包するハウジング８と、ハウジング８の底部を構成するベースプレート９とを備える。なお、ビデ洗浄ノズル２及びお尻洗浄ノズル３は、ベースプレート９に対して、例えば３８度の角度をつけて設けられる。また、ビデ洗浄ノズル２及びお尻洗浄ノズル３は、ベースプレート９に取り付けられた図示しないガイドによって摺動可能に支持されている。  
図２は、本発明の第１実施形態に係るビデ洗浄ノズル２の（ａ）上面図及び（ｂ）側面図である。ビデ洗浄ノズル２は、ビデ洗浄ノズル上面１０に温水洗浄便座装置１を作動させる際に温水を噴出させる第１噴出口１１が設けられる。また、ビデ洗浄ノズル２は、ビデ洗浄ノズル側面１２の長手方向に延在するよう図中下側に、第１凹部１３を有し、第１凹部１３に第１ピニオンギア６と噛合する第１ラック１４が設けられる。なお、第１凹部１３は、ビデ洗浄ノズル側面１２に対して低く、ビデ洗浄ノズル側面１２から隠れる位置に設けられる。また、ビデ洗浄ノズル２のＡ−Ａ断面は、四隅を面取りした四角形状である。
【００１８】
図３は、本発明の第１実施形態に係るお尻洗浄ノズル３の（ａ）上面図及び（ｂ）側面図である。お尻洗浄ノズル３は、お尻洗浄ノズル上面２０に温水洗浄便座装置１を作動させる際に温水を噴出させる第２噴出口２１が設けられる。また、お尻洗浄ノズル３は、お尻洗浄ノズル側面２２の長手方向に延在するよう図中下側に第２凹部２３を有し、第２凹部２３に第２ピニオンギア７と噛合する第２ラック２４が設けられる。なお、第２凹部２３は、お尻洗浄ノズル側面２２に対して低く、お尻洗浄ノズル側面２２から隠れる位置に設けられる。なお、お尻洗浄ノズル３のＢ−Ｂ断面は、四隅を面取りした四角形状である。
【００１９】
第１実施形態の動作について説明する。ビデ洗浄ノズル２を使用する際、ビデ洗浄ノズル２は、図１に示す第１モータ４が回転すると、第１ピニオンギア６が反時計回りに回転し、第１ピニオンギア６と噛み合う第１ラック１４を介して、ハウジング８から突出する方向に移動する。
【００２０】
次にビデ洗浄ノズル２を使用した後、ビデ洗浄ノズル２は、図１に示す第１モータ４が逆回転すると、第１ピニオンギア６は時計回りに回転し、第１ピニオンギア６と噛み合う第１ラック１４を介して、ハウジング８に収納される方向に移動する。
【００２１】
また、お尻洗浄ノズル３を使用する際、お尻洗浄ノズル３は、図１に示す第２モータ５が回転すると、第２ピニオンギア７が時計回りに回転し、第２ピニオンギア７と噛み合う第２ラック２４を介して、ハウジング８から突出する方向に移動する。
【００２２】
次に、お尻洗浄ノズル３を使用した後、お尻洗浄ノズル３は、図１に示す第２モータ５が逆回転すると、第２ピニオンギア７は反時計回りに回転し、第２ピニオンギア７と噛み合う第２ラック２４を介して、ハウジング８に収納される方向に移動する。
【００２３】
第１実施形態の効果について説明する。第１ラック１４及び第２ラック２４は、ビデ洗浄ノズル側面１２及びお尻洗浄ノズル側面２２から低い位置に形成されるため、ビデ洗浄ノズル２及びお尻洗浄ノズル３が前方に移動しても、通常の使用では使用者から第１ラック１４及び第２ラック２４の汚れが見えず、不快感を与えることがない。
【００２４】
また、温水洗浄便座装置１は、ビデ洗浄ノズル２とお尻洗浄ノズル３と上下に所定間隔を開けて重なる位置に配置されるため、第１モータ４は、ビデ洗浄ノズル２及びお尻洗浄ノズル３の図１中右側に設けられ、第２モータ５は、ビデ洗浄ノズル２及びお尻洗浄ノズル３の図１中左側に設けられ、第１モータ４と第２モータ５が分散して配置されるため、ビデ洗浄ノズルとお尻洗浄ノズルとの間に駆動ギアが設けられビデ洗浄ノズルとお尻洗浄ノズルとの間や周りに使用されない空間が形成されノズル周りが大型化してしまう従来の温水洗浄便座装置に比べ、ノズル周りを小型化すると同時に薄型化することができ、例えばビデ洗浄ノズル２及びお尻洗浄ノズル３の図１中下側に図示しない配線、乾燥ユニット、脱臭ユニット温水タンク等を設けることができる。
【００２５】
また、温水洗浄便座装置１は、ビデ洗浄ノズル２とお尻洗浄ノズル３とが上下に所定間隔を開けて重なる位置に配置されるため、温水が被洗浄局部に対して真下または真下後方から温水噴出でき、均一な洗浄効果を得られる。
【００２６】
また、ビデ洗浄ノズル２のＡ−Ａ断面及びお尻洗浄ノズル３のＢ−Ｂ断面の四隅を面取りされた四角形状とすることで、通常の使用では使用者からラックの汚れが見えずに第１ラック１４及び第２ラック２４を各ノズルの側面１２、２２の面上の幅方向に対して、断面が円形状のノズルよりも、各ノズルの側面１２、２２から隠れる位置に大きく形成することができる。このため、第１ラック１４及び第２ラック２４は、各ピニオンギア６、７と噛合する面に掛かる面圧を軽減することができ、各ラック１４、２４の耐久性を向上させることが可能となる。
【００２７】
（第２実施形態）
図４は、本発明の第２実施形態に係る温水洗浄便座装置１ａの内部の構造を示す斜視図である。第１実施形態（図１）では、ビデ洗浄ノズル２を駆動する第１モータ４と第１ピニオンギア６とが温水洗浄便座装置１に向かってビデ洗浄ノズル２及びお尻洗浄ノズル３の図１中右側に設けられるのに対して、第２実施形態では、ビデ洗浄ノズル３２ａ（第１ノズル）を駆動する第１モータ３４ａ（モータ）と第１ピニオンギア３６ａとが温水洗浄便座装置１ａに向かってビデ洗浄ノズル３２ａ及びお尻洗浄ノズル３３ａ（第２ノズル）の図中左側に設けられる。その他の構成は同様であり、第１実施形態と同一の部品、同一の構造については同一の符号を用いて説明する。
【００２８】
本発明の温水洗浄便座装置１ａは、長手方向に移動自在な樹脂製のビデ洗浄ノズル３２ａと、長手方向に移動自在な樹脂製のお尻洗浄ノズル３３ａと、を備え、ビデ洗浄ノズル３２ａと、お尻洗浄ノズル３３ａは上下に重なる位置に配置される。また、ビデ洗浄ノズル３２ａを駆動する第１モータ３４ａ及びお尻洗浄ノズル３３ａを駆動する第２モータ３５ａ（モータ）は、温水洗浄便座装置１ａに向かってビデ洗浄ノズル３２ａ及びお尻洗浄ノズル３３ａの図中左側に設けられる。また、第１モータ３４ａは、第１モータ３４ａからビデ洗浄ノズル３２ａに駆動力を伝達する樹脂製の第１ピニオンギア３６ａを有し、第２モータ３５ａは、第２モータ３５ａからお尻洗浄ノズル３３ａに駆動力を伝達する樹脂製の第２ピニオンギア３７ａを有する。
【００２９】
本発明の温水洗浄便座装置１ａは、ビデ洗浄ノズル３２ａと、お尻洗浄ノズル３３ａと、第１モータ３４ａと、第２モータ３５ａと、第１ピニオンギア３６ａと、第２ピニオンギア３７ａと、を内包するハウジング８と、ハウジング８の底部を構成するベースプレート９とを備える。なお、ビデ洗浄ノズル３２ａ及びお尻洗浄ノズル３３ａは、ベースプレート９に対して３８度の角度をつけて設けられる。
【００３０】
図５は、本発明の第２実施形態に係るビデ洗浄ノズル３２ａの（ａ）上面図及び（ｂ）側面図である。ビデ洗浄ノズル３２ａは、ビデ洗浄ノズル上面４０ａに温水洗浄便座装置１ａを作動させる際に温水を噴出させる第１噴出口４１ａが設けられる。また、ビデ洗浄ノズル３２ａは、ビデ洗浄ノズル側面４２ａの長手方向に延在するよう図中下側に、第１凹部４３ａを有し、第１凹部４３ａに第１ピニオンギア３６ａと噛合する第１ラック４４ａが設けられる。なお、第１ラック４４ａは、ビデ洗浄ノズル側面４２ａに対して同一面若しくは低く、ビデ洗浄ノズル側面４２ａから隠れる位置に設けられる。なお、ビデ洗浄ノズル３２ａのＣ−Ｃ断面は、四隅を面取りした四角形状である。
【００３１】
図６は、本発明の第２実施形態に係るお尻洗浄ノズル３３ａの（ａ）上面図及び（ｂ）側面図である。お尻洗浄ノズル３３ａは、お尻洗浄ノズル上面５０ａに温水洗浄便座装置１ａを作動させる際に温水を噴出させる第２噴出口５１ａが設けられる。また、お尻洗浄ノズル３３ａは、お尻洗浄ノズル側面５２ａの長手方向に延在するよう図中下側に、第２凹部５３ａを有し、第２凹部５３ａに第２ピニオンギア３７ａと噛合する第２ラック５４ａが設けられる。なお、第２凹部５３ａは、お尻洗浄ノズル側面５２ａに対して低く、お尻洗浄ノズル側面５２ａから隠れる位置に設けられる。なお、お尻洗浄ノズル３３ａのＤ−Ｄ断面は、四隅を面取りした四角形状である。
【００３２】
第２実施形態の動作について説明する。ビデ洗浄ノズル３２ａを使用する際、ビデ洗浄ノズル３２ａは、図４に示す第１モータ３４ａが回転すると、第１ピニオンギア３６ａが時計回りに回転し、第１ピニオンギア３６ａと噛み合う第１ラック４４ａを介して、ハウジング８から突出する方向に移動する。
【００３３】
次にビデ洗浄ノズル３２ａを使用した後、ビデ洗浄ノズル３２ａは、図４に示す第１モータ３４ａが逆回転すると、第１ピニオンギア３６ａは反時計回りに回転し、第１ピニオンギア３６ａと噛み合う第１ラック４４ａを介して、ハウジング８に収納される方向に移動する。
【００３４】
また、お尻洗浄ノズル３３ａを使用する際、お尻洗浄ノズル３３ａは、図４に示す第２モータ３５ａが回転すると、第２ピニオンギア３７ａが時計回りに回転し、第２ピニオンギア３７ａと噛み合う第２ラック５４ａを介して、ハウジング８から突出する方向に移動する。
【００３５】
次にお尻洗浄ノズル３３ａを使用した後、お尻洗浄ノズル３３ａは、図４に示す第２モータ３５ａが逆回転すると、第２ピニオンギア３７ａは反時計回りに回転し、第２ピニオンギア３７ａと噛み合う第２ラック５４ａを介して、ハウジング８に収納される方向に移動する。
【００３６】
第２実施形態の効果について説明する。温水洗浄便座装置１ａは、ビデ洗浄ノズル３２ａ及びお尻洗浄ノズル３３ａを上下に重なる位置に配置し、第１モータ３４ａ及び第２モータ３５ａをビデ洗浄ノズル３２ａ及びお尻洗浄ノズル３３ａの図４中左側に設けられるため、ビデ洗浄ノズルとお尻洗浄ノズルとの間に駆動ギアが設けられビデ洗浄ノズルとお尻洗浄ノズルとの間や周りに使用されない空間が形成されノズル周りが大型化してしまう従来の温水洗浄便座装置に比べ、ノズル周りを小型化することができ、例えばビデ洗浄ノズル３２ａ及びお尻洗浄ノズル３３ａの図４中下側及び右側に図示しない配線、乾燥ユニット、脱臭ユニット、温水タンク等を設けることができる。
【００３７】
また、ビデ洗浄ノズル３２ａのＣ−Ｃ断面及びお尻洗浄ノズル３３ａのＤ−Ｄ断面を四隅を面取りされた四角形状とすることで、第１ラック４４ａ及び第２ラック５４ａを各ノズルの側面４２ａ、５２ａの面上の幅方向に対して、断面が円形状のノズルよりも各ノズルの側面４２ａ、５２ａから隠れる位置に大きく形成することができる。このため、第１ラック４４ａ及び第２ラック５４ａは、各ピニオンギア３６ａ、３７ａと噛合する面に掛かる面圧を低減することができ、各ラック４４ａ、５４ａの耐久性を向上することが可能となる。
【００３８】
図７は、本発明の第２実施形態の第１変形例に係る温水洗浄便座装置１ｂの内部の構造を示す斜視図である。第２実施形態では、ビデ洗浄ノズル３２ａとお尻洗浄ノズル３３ａと第１モータ３４ａと第２モータ３５ａと第１ピニオンギア３６ａと第２ピニオンギア３７ａとのベースプレート９に対する傾きが３８度であるのに対して、第２実施形態の第１変形例では、ビデ洗浄ノズル３２ｂ（第１ノズル）とお尻洗浄ノズル３３ｂ（第２ノズル）と第１モータ３４ｂと第２モータ３５ｂと第１ピニオンギア３６ｂと第２ピニオンギア３７ｂとのベースプレート９に対する傾きが例えば１０度である。
【００３９】
第２実施形態の第１変形例の効果について説明する。第２実施形態では、ビデ洗浄ノズル３２ａ及びお尻洗浄ノズル３３ａの図７中下側に空間が形成されるのに対して、第２実施形態の第１変形例ではビデ洗浄ノズル３２ｂ及びお尻洗浄ノズル３３ｂの図７中上側に空間が形成されるため、例えばビデ洗浄ノズル３２ｂ及びお尻洗浄ノズル３３ｂの図７中上側に図示しない配線、乾燥ユニット、脱臭ユニット、温水タンク等を設けることができる。
【００４０】
図８は、本発明の第２実施形態の第２変形例に係るお尻洗浄ノズル３２ｃ及びビデ洗浄ノズル３３ｃの拡大斜視図である。第２実施形態では、第２ピニオンギア３７ａがラック５４ａと嵌合し、お尻洗浄ノズル３３ａを移動させるのに対して、第２実施形態の第２変形例では、第２ピニオンギア３７ｃとラック５４ｃとの間にアイドラギア３８が介在しお尻洗浄ノズル３３ｃを移動させる。
【００４１】
第２実施形態の第２変形例の動作について説明する。ビデ洗浄ノズル３２ｃを使用する際、ビデ洗浄ノズル３２ｃは、第１モータ３４ｃが回転すると、第１ピニオンギア３６ｃが時計回りに回転して、第１ピニオンギア３６ｃと噛み合う第１ラック４４ｃを介して、ハウジング８から突出する方向に移動する。
【００４２】
次にビデ洗浄ノズル３２ｃを使用した後、ビデ洗浄ノズル３２ｃは、第１モータ３４ｃが逆回転すると、第１ピニオンギア３６ｃは反時計回りに回転して、第１ピニオンギア３６ｃと噛み合う第１ラック４４ｃを介して、ハウジング８に収納される方向に移動する。
【００４３】
また、お尻洗浄ノズル３３ｃを使用する際、お尻洗浄ノズル３３ｃは、第２モータ３５ｃが回転すると、第２ピニオンギア３７ｃ及びアイドラギア３８が時計回りに回転し、アイドラギア３８と噛み合う第２ラック５４ｃを介して、ハウジング８から突出する方向に移動する。
【００４４】
次にお尻洗浄ノズル３３ｃを使用した後、お尻洗浄ノズル３３ｃは、第２モータ３５ｃが逆回転すると、第２ピニオンギア３７ｃ及びアイドラギア３８は反時計回りに回転し、アイドラギア３８と噛み合う第２ラック５４ｃを介して、ハウジング８に収納される方向に移動する。
【００４５】
第２実施形態の第２変形例の効果について説明する。本変形例は、アイドラギア３８を用いることで第２実施形態と比べてお尻洗浄ノズル３３ｃのハウジング８から突出するストローク量を増やすことができる。
【００４６】
なお、本発明は上記実施形態に限定されるものではなく、以下に示す態様に変更しても良い。
【００４７】
・実施形態１、２では、お尻洗浄ノズルとビデ洗浄ノズルの側面の片側にしかラックを設けていないが、両側に設けても良い。
【００４８】
・実施形態１、２では、強度を確保するためにノズル断面が四隅を面取りされた四角形状であるが、強度が確保できれば円形状等でも良い。
【００４９】
・実施形態１、２では、ピニオンギアとラックが直結されているが、間にアイドラギアを介在させても良い。
【００５０】
・実施形態１、２では、樹脂製のノズルやピニオンギアを用いているが、金属製のノズルやピニオンギアを用いても良い。
【００５１】
・実施形態１、２では、ノズルの側面に形成された凹部にラックを設けたが、側面に対して同一面若しくは低くなるようにラックの山部を形成し、側面から隠れる位置にラックの谷部を形成しても良い。これにより、温水洗浄便座装置は、使用者からラックの汚れが見えず、不快感を与えることがないという効果を奏することができる。また、本実施形態の第１ラック１４及び第２ラック２４の山部となる部分についても各ノズルの側面１２、２２に対して同一面若しくは低く形成されていても良い。
【符号の説明】
【００５２】
１  温水洗浄便座装置
２  ビデ洗浄ノズル
３  お尻洗浄ノズル
４  第１モータ
５  第２モータ
１２  ビデ洗浄ノズル側面
１４  第１ラック
２２  お尻洗浄ノズル側面
２４  第２ラック
【図１】
0005903771.tif 000002
【図２】
0005903771.tif 000003
【図３】
0005903771.tif 000004
【図４】
0005903771.tif 000005
【図５】
0005903771.tif 000006
【図６】
0005903771.tif 000007
【図７】
0005903771.tif 000008
【図８】
0005903771.tif 000009